(57)【要約】【課題】  インターホンシステムに録画転送機能を後付け可能で、且つシステムの拡張性に優れた録画転送コントローラ、およびそれを用いたインターホンシステムを提供する。【解決手段】  録画転送コントローラ３は、インターホン親機からの信号線を接続する入力端子部３ｄと、入力端子部３ｄに短絡してインターホン副親機からの信号線を接続する送り配線用の送り端子部３ｅと、入力端子部３ｄを介してインターホン親機からのデータを受信する受信部３ｆと、画像データ及び通話音声データを受信部３ｆを介してインターホン親機より受け取る制御部３ａと、制御手段３ａが受け取った画像データ及び通話音声データを格納するメモリ部３ｉと、携帯型の端末装置との間でデータ通信を行う外部のセンタ装置にネットワークを通じて少なくとも前記格納した画像データ及び通話音声データを転送するＬＡＮインターフェース部３ｃとを備える。【選択図】図１
2007235604.tif 000002
【特許請求の範囲】
【請求項１】
住宅外に設置されるドアホン子器と、住宅内に設置されてドアホン子器と信号線で接続されるインターホン親機と、住宅内に設置されてインターホン親機と信号線で接続されるインターホン副親機と、住宅内外に設置されて撮像した画像をインターホン親機に伝送する１乃至複数のカメラとからなり、ドアホン子器とインターホン親機またはインターホン副親機との間、若しくはインターホン親機とインターホン副親機との間に通話路を形成して通話するインターホンシステムに用いられる録画転送コントローラにおいて、
インターホン親機からの信号線を接続する第１の端子と、第１の端子に短絡してインターホン副親機からの信号線を接続する送り配線用の第２の端子と、第１の端子を介してインターホン親機からのデータを受信する受信手段と、少なくともカメラで撮像された画像を受信手段を介してインターホン親機より受け取る制御手段と、少なくとも制御手段が受け取った画像を格納する記憶手段と、携帯型の端末装置との間でデータ通信を行う外部のセンタ装置にネットワークを通じて少なくとも前記格納した画像を転送するネットワーク通信手段と、
を備えることを特徴とする録画転送コントローラ。
【請求項２】
前記制御手段は、前記受信手段を介してインターホン親機からの来客通知を受信した場合、ネットワーク通信手段を介して来客通知をセンタ装置に送信し、前記記憶手段に格納した画像をセンタ装置に転送することを特徴とする請求項１記載の録画転送コントローラ。
【請求項３】
住宅外に設置されるドアホン子器と、住宅内に設置されてドアホン子器と信号線で接続されるインターホン親機と、住宅内に設置されてインターホン親機からの信号線を第１の端子に接続する請求項１または２記載の録画転送コントローラと、住宅内に設置されて録画転送コントローラの第１の端子に短絡した送り配線用の第２の端子に信号線で接続されるインターホン副親機と、住宅内外に設置されて撮像した画像をインターホン親機に伝送する１乃至複数のカメラと、ネットワークを通じて録画転送コントローラとの間でデータ通信を行う外部のセンタ装置と、センタ装置との間でデータ通信を行う携帯型の端末装置とを備えることを特徴とするインターホンシステム。
【発明の詳細な説明】
【技術分野】
【０００１】
本発明は、録画転送コントローラ、およびそれを用いたインターホンシステムに関するものである。
【背景技術】
【０００２】
従来、インターホンシステムとして、特許文献１に記載されているようなものが提供されている。かかる従来システムは、カメラ付きドアホン子器で撮像した画像をインターホン親機に記録し、宅内ＬＡＮやインターネットを通じてインターホン親機から携帯電話機やＰＣなどの端末装置に前記画像を転送し、当該端末装置のモニタ画面に画像を表示して見ることができるようになっている。
【特許文献１】特開２００４−１３５１９７公報（段落番号［００８８］、図１，図２）
【発明の開示】
【発明が解決しようとする課題】
【０００３】
しかしながら、上記従来のインターホン親機は、録画転送機能が予め内蔵されており、録画転送機能を必要としないユーザにとってはコスト高になり、インターホン親機自体も大きくなる。
【０００４】
また、録画転送機能が予め内蔵されていないインターホン親機を購入したユーザが録画転送を行うためには、インターホン親機を買い換える必要があり、コスト高になってしまう。
【０００５】
また、別体の録画転送コントローラをインターホン親機に後付けして録画転送機能を付加する方法も提案されているが、インターホン親機に接続端子を１個しか設けていない場合、当該端子を録画転送コントローラ接続用に用いるため、それまでインターホン親機に接続していたインターホン副親機をインターホン親機に接続することができず、システムの拡張性に問題が生じていた。
【０００６】
本発明は、上記事由に鑑みてなされたものであり、その目的は、インターホンシステムに録画転送機能を後付け可能で、且つシステムの拡張性に優れた録画転送コントローラ、およびそれを用いたインターホンシステムを提供することにある。
【課題を解決するための手段】
【０００７】
請求項１の発明は、住宅外に設置されるドアホン子器と、住宅内に設置されてドアホン子器と信号線で接続されるインターホン親機と、住宅内に設置されてインターホン親機と信号線で接続されるインターホン副親機と、住宅内外に設置されて撮像した画像をインターホン親機に伝送する１乃至複数のカメラとからなり、ドアホン子器とインターホン親機またはインターホン副親機との間、若しくはインターホン親機とインターホン副親機との間に通話路を形成して通話するインターホンシステムに用いられる録画転送コントローラにおいて、インターホン親機からの信号線を接続する第１の端子と、第１の端子に短絡してインターホン副親機からの信号線を接続する送り配線用の第２の端子と、第１の端子を介してインターホン親機からのデータを受信する受信手段と、少なくともカメラで撮像された画像を受信手段を介してインターホン親機より受け取る制御手段と、少なくとも制御手段が受け取った画像を格納する記憶手段と、携帯型の端末装置との間でデータ通信を行う外部のセンタ装置にネットワークを通じて少なくとも前記格納した画像を転送するネットワーク通信手段と、を備えることを特徴とする。
【０００８】
この発明によれば、録画転送機能が内蔵されていないインターホンシステムに、録画転送コントローラを追加するだけで、携帯型の端末装置を用いて外出先から留守時の来客確認、監視を行うことができ、録画転送機能が予め内蔵されたインターホン親機を新しく購入する必要がないので、低コストで録画転送機能を実現できる。
【０００９】
また、録画転送機能を必要としないユーザは、録画転送機能が予め内蔵されていない小型のインターホン親機を用いることができるとともに、低コストでインターホンシステムを構築できる。
【００１０】
また、インターホン親機からの信号線を第１の端子に接続し、インターホン副親機からの信号線を第２の端子に接続することで、従来と同様にインターホン副親機をインターホン親機に接続することができ、拡張性に優れたものとなる。
【００１１】
請求項２の発明は、請求項１において、前記制御手段は、前記受信手段を介してインターホン親機からの来客通知を受信した場合、ネットワーク通信手段を介して来客通知をセンタ装置に送信し、前記記憶手段に格納した画像をセンタ装置に転送することを特徴とする。
【００１２】
この発明によれば、外出先から留守時の来訪者を確認でき、携帯型の端末装置へのデータ転送をセンタ装置へ要求するタイミングがわかる。
【００１３】
請求項３の発明は、住宅外に設置されるドアホン子器と、住宅内に設置されてドアホン子器と信号線で接続されるインターホン親機と、住宅内に設置されてインターホン親機からの信号線を第１の端子に接続する請求項１または２記載の録画転送コントローラと、住宅内に設置されて録画転送コントローラの第１の端子に短絡した送り配線用の第２の端子に信号線で接続されるインターホン副親機と、住宅内外に設置されて撮像した画像をインターホン親機に伝送する１乃至複数のカメラと、ネットワークを通じて録画転送コントローラとの間でデータ通信を行う外部のセンタ装置と、センタ装置との間でデータ通信を行う携帯型の端末装置とを備えることを特徴とする。
【００１４】
この発明によれば、録画転送機能が内蔵されていないインターホンシステムに、録画転送コントローラを追加するだけで、携帯型の端末装置を用いて外出先から留守時の来客確認、監視を行うことができ、録画転送機能が予め内蔵されたインターホン親機を新しく購入する必要がないので、低コストで録画転送機能を実現できる。
【００１５】
また、録画転送機能を必要としないユーザは、録画転送機能が予め内蔵されていない小型のインターホン親機を用いることができるとともに、低コストでインターホンシステムを構築できる。
【００１６】
また、インターホン親機からの信号線を第１の端子に接続し、インターホン副親機からの信号線を第２の端子に接続することで、従来と同様にインターホン副親機をインターホン親機に接続することができ、拡張性に優れたものとなる。
【発明の効果】
【００１７】
以上説明したように、本発明では、インターホンシステムに録画転送機能を後付け可能で、且つシステムの拡張性に優れた録画転送コントローラ、およびそれを用いたインターホンシステムを提供することができるという効果がある。
【発明を実施するための最良の形態】
【００１８】
以下、本発明の実施の形態を図面に基づいて説明する。
【００１９】
（実施形態）
本実施形態のインターホンシステムは、図３に示すように、住宅外に設置されるカメラ付きドアホン子器（以下、ドアホン子器と略す。）１と、住宅内に設置されてドアホン子器１と信号線Ｌ１で接続されるインターホン親機２と、住宅内に設置されてインターホン親機２と信号線Ｌ１で接続される録画転送コントローラ３と、住宅内に設置されて録画転送コントローラ３と信号線Ｌ１で接続されるインターホン副親機４と、住宅内外に設置され、検知領域における人の存在を検知したときに当該検知領域を撮像するとともに撮像した画像をインターホン親機２に伝送するセンサカメラ５と、住宅内に設置されてＬＡＮケーブルＬ２で接続された録画転送コントローラ３をインターネット網（ネットワーク）ＮＴに接続するルータ６と、住宅から離れて設置されてインターネット網ＮＴを通じてデータ通信を行うセンタ装置（センターサーバ）７，携帯端末８とを備える。
【００２０】
また、ルータ６には、録画転送コントローラ３以外にウェブカメラやパソコン等の機器を接続して宅内ネットワークを構成してもよく、この場合、録画転送コントローラ３だけでなく当該宅内ネットワークがルータ６を介してインターネット網ＮＴに接続される。
【００２１】
ドアホン子器１は、通話用のマイクロホン並びにスピーカの他に来訪者を撮像するためのカメラ１ａを具備し、マイクロホンで集音した通話音声を信号線Ｌ１を介してインターホン親機２，インターホン副親機４に伝送し、且つインターホン親機２、インターホン副親機４から信号線Ｌ１を介して伝送される通話音声をスピーカから鳴動させる通話機能と、呼出釦が押操作されたときに信号線Ｌ１を介してインターホン親機２、インターホン副親機４に呼出信号を送信する呼出機能と、カメラ１ａ（例えば、動画像を出力するＣＣＤカメラ）で撮像された画像を周波数変調して通話音声に多重化することで信号線Ｌ１を介してインターホン親機２、インターホン副親機４に伝送する画像伝送機能とを有している。
【００２２】
また、センサカメラ５は、人体から放射される熱線を検出することで監視領域内への人の侵入を検知する熱線センサや動画像を出力するＣＣＤカメラ等を具備し、信号線Ｌ１を介して監視領域の画像をドアホン子器１に伝送する機能を有している。なお、ドアホン子器１に伝送された画像は信号線Ｌ１を介してインターホン親機２、インターホン副親機４に伝送される。
【００２３】
インターホン親機２は、全体の制御を行うマイコンや音声処理用のＤＳＰ、通話用のマイクロホン並びにスピーカや画像表示用の液晶ディスプレイ、画像や通話音声を記録する不揮発性の半導体メモリ等を具備している。
【００２４】
上記インターホン親機２は、呼出信号を受信したときにスピーカから呼出音を鳴動する機能と、呼出音の鳴動中又は鳴動後の一定時間内に応答釦が押操作されたときに信号線Ｌ１を介した通話路を形成して通話音声を授受する通話機能と、通話中にドアホン子器１のカメラ１ａで撮像され且つ伝送される画像（通話相手を撮像した画像）を周波数復調して液晶ディスプレイに表示する機能（表示機能）と、通話中以外でカメラ１ａまたはセンサカメラ５で撮像され且つドアホン子器１から伝送される画像を周波数復調して液晶ディスプレイに表示する機能（画像モニタ機能）と、留守録設定中に呼出信号を受信した場合に信号線Ｌ１を介してドアホン子器１から伝送される画像並びに通話音声を不揮発性の半導体メモリに記録する機能（留守録機能）と、センサカメラ５で撮像され且つドアホン子器１より信号線Ｌ１を介して伝送された画像を不揮発性の半導体メモリに記録する機能（センサカメラ録画機能）と、ドアホン子器１で特定の操作（例えば、呼出釦の長押し）が行われた場合に通常の呼出音と区別可能な通知音で家人の帰宅を通知する機能（帰宅通知機能）とを有している。
【００２５】
さらに、インターホン親機２は、ドアホン子器１から伝送される音声、カメラ１ａまたはセンサカメラ５で撮像され且つドアホン子器１から伝送される画像の各データ（通話音声データ及び画像データ）を、通話の有無に関わらず、録画転送コントローラ３を介してインターホン副親機４に伝送しており、インターホン副親機４も、インターホン親機２とほぼ同様の構成を有し、少なくとも上記通話機能，表示機能，画像モニタ機能を備える。
【００２６】
そして、インターホン親機２では、ドアホン子器１からの呼出に応答する操作が行われると、ドアホン子器１とインターホン親機２との間に通話路が形成され、ドアホン子器１とインターホン親機２との間で拡声通話が行われる。また、インターホン親機２はドアホン子器１からの呼出を録画転送コントローラ３を介してインターホン副親機４にも伝送しており、この呼出に応答する操作がインターホン副親機４で行われた場合には、ドアホン子器１とインターホン副親機４との間に通話路が形成され、ドアホン子器１とインターホン副親機４との間で拡声通話が行われる。さらに、インターホン親機２のスイッチ（図示無し）がオンされて、インターホン親機２とインターホン副親機４との間に通話路が形成されると、インターホン親機２とインターホン副親機４との間で拡声通話（内線通話）が行われる。但し、上述のような機能を有するドアホン子器１、インターホン親機２、インターホン副親機４、センサカメラ５については、従来周知であるから詳細な構成についての図示並びに説明を省略する。
【００２７】
本発明では、上記インターホン親機２とインターホン副親機４との間に録画転送コントローラ３が接続されており、以下、録画転送コントローラ３について説明する。
【００２８】
録画転送コントローラ３は図２（ａ）（ｂ）に示すように、器体３０が、ＪＩＳ規格で規格化されている大角連用形スイッチの２個モジュールに形成されており、同じく日本工業規格で規格化されている大角形連用配線器具の取付枠（図示無し）に取り付けられ、例えばタンブラスイッチや押釦スイッチ等の他の種類の大角連用形スイッチとともに壁面等の造営面に埋込配設され、上記取付枠の前面側には化粧プレート１００が覆設される。
【００２９】
そして、器体３０内には図１に示すように、マイコンを主構成要素とする制御部３ａと、ＬＡＮケーブルＬ２が接続されるＬＡＮコネクタ３ｂと、制御部３ａとＬＡＮコネクタ３ｂに接続されたネットワークとのインタフェースを行うＬＡＮインタフェース部３ｃと、インターホン親機２からの信号線Ｌ１が接続される入力端子部（第１の端子）３ｄと、入力端子部３ｄに短絡してインターホン親機２からの信号線Ｌ１が接続される送り端子部（第２の端子）３ｅと、インターホン親機２との間で入力端子部３ｄを介してデータを受信する受信部３ｆと、ＬＥＤ等の発光素子で電源のオン／オフ状態や通信状態等を表示する表示部３ｇと、押釦スイッチ等を有する操作部３ｈと、マイコンで実行するプログラムやインターホン親機２から信号線Ｌ１を通じて伝送される画像データ及び通話音声データを記憶するメモリ部３ｉと、商用電源から所望の直流電源を作成して制御部３ａやその他の各部に動作電源を供給するための電源部３ｊと、電源部３ｊに入力する商用電源を接続する電源端子３ｋとを備えている。
【００３０】
器体３０の前面には、図２（ａ）に示すように、表示部３ｇを構成する電源表示灯ＬＥＤ１、及び操作部３ｈを構成するモード切替スイッチＳＷ１、リセットスイッチＳＷ２が配置されており、モード切替スイッチＳＷ１は、制御部３ａのソフトウェアのアップデート等を行う運用モードと、ＩＰアドレス等のネットワーク設定を行うネットワーク設定モードとを切り換え、リセットスイッチＳＷ２は、全ての設定情報を消去して初期設定に戻す。電源灯ＬＥＤ１は、電源のオン／オフ状態を表示する。
【００３１】
また、器体３０の前面のカバー３１を取り外すと、表示部３ｇを構成する状態表示灯ＬＥＤ２、リンク灯ＬＥＤ３、及び操作部３ｈを構成する電源スイッチＳＷ３が露出し、電源スイッチＳＷ３を操作することで電源部３ｊの動作をオン／オフする。状態表示灯ＬＥＤ２はエラー表示や動作確認を行い、リンク灯ＬＥＤ３はＬＡＮインタフェース部３ｃの通信状態を表示する。
【００３２】
器体３０の後面には、図２（ｂ）に示すように、ＬＡＮコネクタ３ｂ、入力端子部３ｄ、送り端子部３ｅ、電源端子３ｋが配置されており、ＬＡＮコネクタ３ｂは、ＬＡＮケーブルＬ２の先端に設けられているＲＪ−４５のモジュラプラグが挿抜自在に接続されるモジュラジャックを具備している。
【００３３】
また、インターホン親機２からの信号線Ｌ１を入力端子３ｄに接続し、インターホン副親機４からの信号線Ｌ１を送り端子部３ｅに接続することで、従来と同様にインターホン副親機４をインターホン親機２に接続することができ、拡張性に優れたものとなる。インターホン親機２を接続しない場合は、入力端子３ｄ近傍に設けた終端スイッチＳＷ４を操作することで終端抵抗を信号線Ｌ１の終端に接続しておく。
【００３４】
次に、各部の動作について説明する。まず、制御部３ａは、カメラ１ａ並びにセンサカメラ５で撮像されてドアホン子器１からインターホン親機２に伝送された画像データ及び通話音声データを入力端子部３ｄ，受信部３ｆを介してインターホン親機２から受け取るとともに受け取ったデータをインターネット網ＮＴで用いられる圧縮方式（例えば、動画像であればＭＰＥＧ４、静止画像であればＪＰＥＧ、音声であればＭＰ３など）で圧縮してメモリ部３ｉに格納する。そして、メモリ部３ｉに格納した画像データ及び通話音声データを、ＬＡＮインタフェース部３ｃを介してＬＡＮコネクタ３ｂから送信し、ルータ６、インターネット網ＮＴを通じてセンタ装置７へ転送する機能（転送機能）を有する。
【００３５】
センタ装置７は、ネットワーク機能を有する汎用のコンピュータ装置で構成されており、インターネット網ＮＴを通じて送信される各データを蓄積して中継する機能を有している。
【００３６】
携帯端末８は、例えば、ノート型のパーソナルコンピュータ、携帯電話機、ＰＤＡ（Personal Digital Assistance）等からなる携帯型の端末装置であり、センタ装置７との間でインターネット網ＮＴを介したデータ通信を行うことにより、センタ装置７に蓄積された画像データ及び通話音声データを携帯端末８で再生し、外出先から留守時の来客確認、監視等を行うことができる。但し、上述のようなインターネット接続機能を有するセンタ装置７や携帯端末８は従来周知であるから、詳細な構成についての図示並びに説明は省略する。
【００３７】
次に、ドアホン子器１のカメラ１ａで撮像した画像をセンタ装置７に蓄積するとともに、蓄積された画像を携帯端末８で再生する場合の動作例を、図４のシーケンス図を参照して説明する。
【００３８】
まず、インターホン親機２で留守録設定がなされると（１）、インターホン親機２から録画転送コントローラ３へ留守設定通知が伝送され（２）、録画転送コントローラ３も留守設定がなされる（３）。
【００３９】
そして、来訪者がドアホン子器１の呼出釦を押操作すると、ドアホン子器１の音声・画像伝送機能が有効になってドアホン子器１のカメラ１ａで撮像された画像（画像データ）及びマイクロホンで集音した通話音声（通話音声データ）がインターホン親機２に伝送される。インターホン親機２は、ドアホン子器１から伝送される画像データ及び通話音声データを半導体メモリに記録（留守録）するとともに（４）、来客通知を録画転送コントローラ３へ送信する（５）。
【００４０】
来客通知を受け取った録画転送コントローラ３は、ルータ６，インターネット網ＮＴを通じてセンタ装置７へ来客イベント通知を送信するとともに（６）、画像データ及び通話音声データの録画・録音を開始し（７）、録画転送コントローラ３においては、来客通知に続いてインターホン親機２から伝送される画像データ及び通話音声データを制御部３ａにて上記インターネット網ＮＴで用いられる圧縮方式で圧縮処理し、メモリ部３ｉに格納する（８）。そして録画転送コントローラ３は、インターホン親機２から画像終了通知が送信されると（９）、録画・録音を終了し（１０）、メモリ部３ｉに格納した画像データ及び通話音声データのファイルをルータ６、インターネット網ＮＴを通じてセンタ装置７に転送して（１１）、センタ装置７では受け取った画像データ及び通話音声データを記録媒体に蓄積する。転送終了時には、ファイル転送完了イベントを録画転送コントローラ３からセンタ装置７に送信する（１２）。
【００４１】
上記のように、画像データ及び通話音声データをメモリ部３ｉに一旦格納するので、録画転送コントローラ３とセンタ装置７との間の通信速度が遅い場合でも、データを良好に転送することができる。
【００４２】
また、センタ装置７は、録画転送コントローラ３から来客イベント通知を受け取った後に（６）、予め登録されている携帯端末８のメールアドレスに来客通知メールを送信して外出中の家人に来客を通知しており（１３）、来客通知メールを受け取った家人が来訪者を確認したい場合、携帯端末８よりセンタ装置７に対して画像・音声再生の閲覧要求を送信すればよい（１４）。閲覧要求を受け取ったセンタ装置７は、記録媒体に蓄積した画像データ及び通話音声データを携帯端末８で再生可能なファイル形式に加工（変換）し、加工後の画像データ及び通話音声データを携帯端末８に転送する（１５）。その結果、外出中の家人は携帯端末８で画像、音声を再生して来訪者を確認することができる（１６）。
【００４３】
このように、外出中の家人は、センタ装置７から来客通知メールを受け取ることで、外出先から留守時の来訪者を確認でき、携帯端末８へのデータ転送をセンタ装置７へ要求するタイミングがわかる。
【００４４】
また、庭等に設置したセンサカメラ５が検知領域における人の存在を検知したときには、インターホン親機２から録画転送コントローラ３へ侵入者通知を送信することで、センサカメラ５で撮像された画像データを上記同様に録画転送コントローラ３からセンタ装置７へ転送する。そして、上記来客者通知メールの代わりに侵入者通知メールを受け取った外出中の家人は、上記同様にセンタ装置７から転送された画像を携帯端末８で再生して侵入者を確認することができる。
【００４５】
次に、インターホン親機２の画像モニタ機能を利用し、ドアホン子器１のカメラ１ａ並びにセンサカメラ５で撮像した画像を携帯端末８で再生する場合の動作を、図５のシーケンス図を参照して説明する。
【００４６】
本インターホンシステムは、ドアホン子器１のカメラ１ａとセンサカメラ５との２つのカメラを備えており、外出中の家人は画像を再生するカメラを選択することができる。まず、携帯端末８からセンタ装置７に対してカメラ一覧情報要求が送信されると（１）、センタ装置７は、カメラ名称取得要求を録画転送コントローラ３に送信する（２）。この画像モニタ要求を受け取った録画転送コントローラ３では、カメラ１ａ，センサカメラ５に対して予め登録されているカメラ名称（例えば、当該カメラを設置している場所「玄関」、「庭」等）のファイルをカメラ名称通知としてセンタ装置７へ送信する（３）。センタ装置７は、受け取ったカメラ名称通知を、携帯端末８で再生可能なファイル形式に加工（変換）し、加工後のカメラ一覧情報を携帯端末８に送信する（４）。
【００４７】
外出中の家人は携帯端末８でカメラ一覧情報を表示し、ドアホン子器１のカメラ１ａとセンサカメラ５とのうちいずれか再生したい方を選択して（以後、センサカメラ５を選択したものとする）、カメラ映像要求をセンタ装置７へ送信し（５）、さらにセンタ装置７が、カメラ映像要求を録画転送コントローラ３へ送信する（６）。
【００４８】
カメラ映像要求を受け取った録画転送コントローラ３は、カメラ映像要求応答をセンタ装置７へ送信するとともに（７）、センサカメラ５の画像伝送機能を有効にするための子器起動要求をインターホン親機２へ送信する（８）。子器起動要求を受け取ったインターホン親機２は、センサカメラ５の画像伝送機能を有効にして、センサカメラ５を起動させた後（９）、子器起動通知を録画転送コントローラ３へ送信する（１０）。
【００４９】
子器起動通知を受け取った録画転送コントローラ３は、画像データの録画を開始し（１１）、録画転送コントローラ３においては、インターホン親機２から伝送される画像データを制御部３ａにて上記インターネット網ＮＴで用いられる圧縮方式で圧縮処理し、メモリ部３ｉに格納する（１２）。そして録画転送コントローラ３は、録画時間が所定時間に達すると録画を終了して（１３）、終了要求をインターホン親器２へ送信する（１４）。
【００５０】
終了要求を受け取ったインターホン親機２は、センサカメラ５の画像伝送機能を無効にして、センサカメラ５を停止させた後、終了完了を録画転送コントローラ３へ送信する（１５）。
【００５１】
終了完了を受け取った録画転送コントローラ３は、メモリ部３ｉに格納した画像データのファイルをルータ６、インターネット網ＮＴを通じてセンタ装置７に転送して（１６）、センタ装置７では受け取った画像データ及び通話音声データを記録媒体に蓄積する。転送終了時には、ファイル転送完了イベントを録画転送コントローラ３からセンタ装置７に送信する（１７）。
【００５２】
ファイル転送完了イベントを受け取ったセンタ装置７は、記録媒体に蓄積した画像データを携帯端末８で再生可能なファイル形式に加工（変換）し、加工後の画像データを携帯端末８に転送する（１８）。その結果、外出中の家人は携帯端末８で画像を再生してセンサカメラ５の画像を確認することができる（１９）。
【００５３】
このように、録画転送機能が内蔵されていないインターホンシステムに、録画転送コントローラ３を追加するだけで、外出先から留守時の来客確認、監視を行うことができ、録画転送機能が予め内蔵されたインターホン親機を新しく購入する必要がないので、低コストで録画転送機能を実現できる。
【００５４】
また、録画転送機能を必要としないユーザは、録画転送機能が予め内蔵されていない小型のインターホン親機２を用いることができるとともに、低コストでインターホンシステムを構築できる。
【００５５】
なお、本実施形態ではカメラの数を２つ（カメラ１ａ、センサカメラ５）としているが、その数は２つに限定されず１乃至複数のカメラを備えるインターホンシステムで録画転送コントローラ３を用いれば、上記同様の効果を奏し得る。
【図面の簡単な説明】
【００５６】
【図１】実施形態の録画転送コントローラを示す回路構成図である。
【図２】（ａ）（ｂ）外観を示す平面図である。
【図３】同上のインターホンシステムを示す構成図である。
【図４】同上の動作を示すシーケンス図である。
【図５】同上の別の動作を示すシーケンス図である。
【符号の説明】
【００５７】
３  録画転送コントローラ
３ａ  制御部
３ｂ  ＬＡＮコネクタ
３ｃ  ＬＡＮインタフェース部
３ｄ  入力端子部
３ｅ  送り端子部
３ｆ  受信部
３ｉ  メモリ部
【図１】
2007235604.tif 000003
【図２】
2007235604.tif 000004
【図３】
2007235604.tif 000005
【図４】
2007235604.tif 000006
【図５】
2007235604.tif 000007